(57)【要約】【課題】ハンドオーバ制御と切り戻り制御が失敗しても切断しにくい通話を提供できる移動無線機を得ることを目的とする。【解決手段】通信品質が劣化した場合に、他の基地局へのハンドオーバ制御を行なうと共に、ハンドオーバ制御に失敗した場合は、通話していた基地局への切り戻り制御を行い、切り戻り制御に失敗した場合は、ハンドオーバ制御または切り戻り制御を所定時間が経過するまで繰り返して行なうハンドオーバ・切り戻り制御部９０を備え、ハンドオーバ・切り戻り制御部９０が、通信品質が劣化したか否かを判定する判定手段１００と、通信品質が劣化したと判定された場合に、ハンドオーバ試行タイマを起動する起動手段１１０と、ハンドオーバ制御および切り戻り制御を繰り返して行なう繰り返し手段１２０とを備えた。【選択図】        図１
2004172882.tif 000002
【特許請求の範囲】
【請求項１】
基地局からの受信信号の通信品質に応じて基地局を切り替えて通話を行なう移動無線機において、
上記通信品質が劣化した場合に、現在通話している基地局から他の基地局へのハンドオーバ制御を行なうと共に、上記ハンドオーバ制御に失敗した場合は、通話していた基地局への切り戻り制御を行い、上記切り戻り制御に失敗した場合は、上記ハンドオーバ制御または切り戻り制御を所定時間が経過するまで繰り返して行なう、ハンドオーバ・切り戻り制御部を備えたことを特徴とする移動無線機。
【請求項２】
ハンドオーバ・切り戻り制御部が、
通信品質が劣化したか否かを判定する判定手段と、
通信品質が劣化したと判定された場合に、時間を計数するハンドオーバ試行タイマを起動する起動手段と、
ハンドオーバ制御を行なうと共に、上記ハンドオーバ制御に失敗した場合は、切り戻り制御を行い、上記切り戻り制御に失敗した場合は、上記ハンドオーバ制御または切り戻り制御を上記ハンドオーバ試行タイマの計数した時間が所定時間に達するまで繰り返して行なう繰り返し手段と
を備えたことを特徴とする請求項１記載の移動無線機。
【請求項３】
繰り返し手段が、
ハンドオーバ試行タイマの計数した時間が所定時間に達していない場合に、ハンドオーバ制御を行い、上記ハンドオーバ制御が成功したか否かを判定するハンドオーバ試行・判定手段と、
上記ハンドオーバ制御が成功しなかったと判定された場合に、切り戻り制御を行い、上記切り戻り制御が成功したか否かを判定する切り戻り試行・判定手段と、
上記ハンドオーバ制御が成功したと判定された場合、または、上記切り戻り制御が成功したと判定された場合に、ハンドオーバ試行タイマを停止する停止手段と、
上記切り戻り制御が成功しなかったと判定された場合に、上記ハンドオーバ試行タイマが計数した時間が所定時間に達したか否かを判定するタイマ判定手段と、
上記ハンドオーバ試行タイマが計数した時間が所定時間に達したと判定された場合に通話を切断する通話切断手段と
を備えたことを特徴とする請求項２記載の移動無線機。
【請求項４】
テンキー入力部をさらに備え、
ハンドオーバ・切り戻り制御部が、上記テンキー入力部に入力された時間データに応じて所定時間を変更する変更手段を備えたことを特徴とする請求項２または請求項３記載の移動無線機。
【請求項５】
画像表示部をさらに備え、
変更手段が、
待ち受け画面を上記画像表示部に表示する待ち受け表示手段と、
上記待ち受け画面が表示された後にテンキー入力部に入力された時間データに応じて所定時間を変更する書換え手段と
を備えたことを特徴とする請求項４記載の移動無線機。
【発明の詳細な説明】
【０００１】
【発明の属する技術分野】
この発明は、移動通信において通話中のハンドオーバ成功率を向上するための移動無線機に関するものである。
【０００２】
【従来の技術】
従来の移動無線機では、通話中に基地局からの受信信号の符号誤り数のカウントと受信電界レベルを測定して受信信号の通話品質を常時監視し、通信品質がしきい値より良好な場合には測定を継続し、通信品質がしきい値より劣化した場合には新しい基地局を介した通話に移動する動作（ハンドオーバ制御）を行い、新しい基地局が検出できなかった（ハンドオーバ制御が失敗した）場合には、元の基地局を介した通話を再開するための動作（切り戻り制御）を行なうと共にしきい値を変更する（例えば、特許文献１参照）。しかし、元の基地局を介した通話を再開できない場合については特に考慮されていないので、元の基地局を介した通話が再開されなかった（切り戻りが失敗した）場合には、通話が切断されてしまう。
【０００３】
【特許文献１】
特開平９−９３３１号公報（第７段落−第１１段落、図１、図２）
【０００４】
【発明が解決しようとする課題】
従来の移動無線機は、以上のように構成されているので、ハンドオーバ制御が失敗してさらに切り戻り制御が失敗した場合には、通話が容易に切断されてしまうという課題があった。利用者が不特定多数の公衆網に比べて、例えば会社内に導入されて利用者がその会社の社員であるといった自営網では、多くの場合通話者が互いに面識を有し、特定の相手との通話が容易に切断されてしまうと、その自営網に対する改善要求が多くなることが予想されるので、ハンドオーバ制御が失敗してさらに切り戻り制御が失敗しても切断しにくい通話を提供できることが必要とされる。
【０００５】
また、通話品質が劣化しやすい場所（通信環境が悪い場所）での通話が容易に切断されてしまうという課題があった。
【０００６】
この発明は、上述のような課題を解決するためになされたもので、第１の目的は、ハンドオーバ制御と切り戻り制御が失敗しても切断しにくい通話を提供できる移動無線機を得るものである。
【０００７】
また、第２の目的は、通信環境が劣化しやすい場所でも切断しにくい通話を提供できる移動無線機を得るものである。
【０００８】
【課題を解決するための手段】
この発明に係る移動無線機は、通信品質が劣化した場合に、現在通話している基地局から他の基地局へのハンドオーバ制御を行なうと共に、ハンドオーバ制御に失敗した場合は、通話していた基地局への切り戻り制御を行い、切り戻り制御に失敗した場合は、ハンドオーバ制御または切り戻り制御を所定時間が経過するまで繰り返して行なう、ハンドオーバ・切り戻り制御部を備えたものである。
【０００９】
【発明の実施の形態】
以下、この発明の実施の一形態を説明する。
実施の形態１．
図１はこの発明に係る実施の形態１の移動無線機の構成の一例を示す図である。図１において、主制御部１０は移動無線機を制御し、発信、受信などの制御を行ない、例えばＣＰＵからなる。制御プログラム記憶部２０は移動無線機を制御するためのプログラムを格納し、例えばＲＯＭからなる。データ記憶部３０は移動無線機を制御するためのデータを一時的に格納し、例えばＲＡＭからなる。通信情報記憶部４０は通信に必要な情報を記憶し、移動無線機の電源を切ってもその記憶内容は消去されず、例えばＥ２  ＰＲＯＭからなる。ＴＤＭＡ制御部５０は移動無線機のＴＤＭＡ−ＴＤＤ（Ｔｉｍｅ  Ｄｉｖｉｓｉｏｎ  Ｍｕｌｔｉｐｌｅ  Ａｃｃｅｓｓ−Ｔｉｍｅ  Ｄｉｖｉｓｉｏｎ  Ｄｕｐｌｅｘ）タイミングを制御し、例えばＬＳＩからなる。送受信部６０は基地局とデータのやりとりを行ない、ＴＤＭＡ制御部５０によりタイミング制御される。画面表示部７０は移動無線機の状態、相手先の電話番号などを表示する。テンキー入力部８０は移動無線機の使用者が電話番号、タイマ値、コマンドなどの入力を行なうためのものである。ハンドオーバ・切り戻り制御部９０は送受信部６０およびＴＤＭＡ制御部５０を介してハンドオーバ制御および切り戻り制御を行なう。
【００１０】
図２はこの発明に係る実施の形態１の移動無線機のハンドオーバ・切り戻り制御部９０の構成を示す図である。図２において、判定手段１００は基地局からの受信信号の符号誤り数のカウントと受信電界レベルとを測定して通話中の受信信号の通信品質の監視を行なう。起動手段１１０は、ハンドオーバ試行タイマを起動させる。繰り返し手段１２０は送受信部６０およびＴＤＭＡ制御部５０を用いてハンドオーバ制御および切り戻り制御を繰り返し行なう。
【００１１】
図３はこの発明に係る実施の形態１の移動無線機の繰り返し手段１２０の構成を示す図である。図３において、ハンドオーバ試行・判定手段１２１はハンドオーバ制御を行い、ハンドオーバ制御が成功したか否かを判定する。切り戻り試行・判定手段１２２は切り戻り制御を行い、切り戻り制御が成功したか否かを判定する。停止手段１２３は、ハンドオーバ制御または切り戻り制御が成功した場合にハンドオーバ試行タイマを停止する。タイマ判定手段１２４はハンドオーバ試行タイマが満了した（ハンドオーバ試行タイマが計数した時間が所定時間に達した）か否かを判定する。通話切断手段１２５はハンドオーバ制御および切り戻り制御が成功しなかった場合に送受信部６０を用いて通話を切断する。
【００１２】
次に動作について説明する。
このように構成された移動無線機において、ハンドオーバ・切り戻り制御部９０は以下のように処理を実行する。ここで、ハンドオーバ・切り戻り制御部９０は、主制御部１０が制御プログラム記憶部２０に格納されたプログラムに従ってハンドオーバ・切り戻り制御部９０に指令を送り、この指令に従って以下の処理を行なうものでも、ハンドオーバ・切り戻り制御部９０単独で以下の処理を行なうものでもよい。
【００１３】
図４はこの発明に係る実施の形態１の移動無線機の処理を示すフロー図である。
【００１４】
ステップＳＴ１では、送受信部６０およびＴＤＭＡ制御部５０を介して発信または着信による通話が開始されて通話状態となる。ステップＳＴ２では、判定手段１００が通話中の通話品質を符号誤り数のカウントと受信電界レベルを測定することにより監視して、符号誤り数と受信電界レベルが予め決められたしきい値未満になると受信品質が劣化したと判断して、ステップＳＴ３に進む。また符号誤り数と受信電界レベルがしきい値以上ならば受信品質が良好であると判断して、通話を継続して通信品質の監視を続ける。
【００１５】
ステップＳＴ３では、起動手段１１０が、現在の基地局を介した通話を切断し、ハンドオーバ試行タイマのタイマ値を１ずつ減少させるカウントダウンを開始する。ハンドオーバ試行タイマのカウント開始時のタイマ値（初期値）は、通信品質が劣化した場合に、ハンドオーバ制御を行い、ハンドオーバ制御が失敗したときに、切り戻り制御を行い、切り戻り制御が失敗した場合は、ハンドオーバ制御または切り戻り制御を所定時間が経過するまで繰り返して行なうときの最大のリトライ時間に相当する。すなわち、ハンドオーバ制御が失敗し、さらに切り戻り制御が失敗した場合、ハンドオーバ制御または切り戻り制御を繰り返し、タイマ値が零となり、ハンドオーバ試行タイマが満了するまで（ハンドオーバ試行タイマの計数する時間が所定時間に達するまで）、ハンドオーバ制御および切り戻り制御のいずれもが成功しない場合には通話が切断される。ハンドオーバ試行タイマのカウント値（ハンドオーバ試行タイマが計数する時間に相当する）はハンドオーバ・切り戻り制御部９０の記憶領域に記憶されている。ここで、カウント開始時のタイマ値を１ずつ減少させてタイマ値が零になるまでタウントダウンしてハンドオーバ試行タイマが満了するようにしたが、カウント開始時にタイマ値を零から１ずつ増加させるカウントアップをおこないタイマ値が所定の値に達したときにハンドオーバ試行タイマが満了するようにしてもよい。
【００１６】
ステップＳＴ４では、ハンドオーバ試行・判定手段１２１が、送受信部６０およびＴＤＡＭ制御部５０を介して、新しい基地局を検出するためのハンドオーバ制御を行い、新しい基地局が検出された場合にはその新しい基地局を介した通話を再開する。
【００１７】
スップＳＴ５では、ハンドオーバ試行・判定手段１２１が、通話が再開されたか否かによってハンドオーバ制御が成功したか失敗したかを判断し、通話が再開された（ハンドオーバ制御が成功した）と判定されたときはステップＳＴ９に進み、通話が再開されなかった（ハンドオーバ制御が失敗した）と判定されたときはステップＳＴ６に進む。
【００１８】
ステップＳＴ６では、切り戻り試行・判定手段１２２が、送受信部６０およびＴＤＭＡ制御部５０を介して、元の基地局を検出するための切り戻り制御を行い、元の基地局が検出された場合には元の基地局を介した通話を再開する。
【００１９】
ステップＳＴ７では、切り戻り試行・判定手段１２２が、通話が再開されたか否かによって切り戻り制御が成功したか失敗したかを判断し、通話が再開された（切り戻り制御が成功した）と判定されたときはステップＳＴ９に進み、通話が再開されなかった（切り戻り制御が失敗した）と判定されたときはステップＳＴ８に進む。
【００２０】
ステップＳＴ８では、タイマ判定手段１２４が、ハンドオーバ試行タイマのタイマ値が零であるか否かによってハンドオーバ試行タイマが満了している（ハンドオーバ試行タイマの計数した時間が所定時間に達した）か否かを判定し、満了している場合にはステップＳＴ１０に進み、満了していない場合にはステップＳＴ４に進む。
【００２１】
ステップＳＴ９では、停止手段１２３がハンドオーバ試行タイマを停止し（ハンドオーバ試行タイマのカウントダウンを終了し）、ステップＳＴ２に進む。
【００２２】
ステップＳＴ１０では、ハンドオーバ試行タイマが満了するまでに（ハンドオーバ試行タイマが計数した時間が所定時間に達するまでに）ハンドオーバ制御および切り戻り制御が成功しなかったので、通話切断手段１２５が、送受信部６０およびＴＤＭＡ制御部５０を用いて通話を切断する。
【００２３】
以上のようにこの実施の形態１の移動無線機は、基地局からの受信信号の通信品質に応じて基地局を切り替えて通話を行なう移動無線機において、通信品質が劣化した場合に、現在通話している基地局から他の基地局へのハンドオーバ制御を行なうと共に、ハンドオーバ制御に失敗した場合は、通話していた基地局への切り戻り制御を行い、切り戻り制御に失敗した場合は、ハンドオーバ制御または切り戻り制御を所定時間が経過するまで繰り返して行なう、ハンドオーバ・切り戻り制御部９０を備えたものである。
【００２４】
この実施の形態１の移動無線機は、ハンドオーバ・切り戻り制御部９０が、通信品質が劣化したか否かを判定する判定手段１００と、通信品質が劣化したと判定された場合に、時間を計数するハンドオーバ試行タイマを起動する起動手段１１０と、ハンドオーバ制御を行なうと共に、ハンドオーバ制御に失敗した場合は、切り戻り制御を行い、切り戻り制御に失敗した場合は、ハンドオーバ制御または切り戻り制御をハンドオーバ試行タイマの計数した時間が所定時間に達するまで繰り返して行なう繰り返し手段１２０とを備えたものである。
【００２５】
この実施の形態１の移動無線機は、繰り返し手段１２０が、ハンドオーバ試行タイマの計数した時間が所定時間に達していない場合に、ハンドオーバ制御を行い、ハンドオーバ制御が成功したか否かを判定するハンドオーバ試行・判定手段１２１と、ハンドオーバ制御が成功しなかったと判定された場合に、切り戻り制御を行い、切り戻り制御が成功したか否かを判定する切り戻り試行・判定手段と１２２、ハンドオーバ制御が成功したと判定された場合、または、切り戻り制御が成功したと判定された場合に、ハンドオーバ試行タイマを停止する停止手段１２３と、切り戻り制御が成功しなかったと判定された場合に、ハンドオーバ試行タイマが計数した時間が所定時間に達したか否かを判定するタイマ判定手段１２４と、ハンドオーバ試行タイマが計数した時間が所定時間に達したと判定された場合に通話を切断する通話切断手段１２５とを備えたものである。
【００２６】
以上のように、この実施の形態１によれば、通信品質が劣化した場合に、現在通話している基地局から他の基地局へのハンドオーバ制御を行なうと共に、ハンドオーバ制御に失敗した場合は、通話していた基地局への切り戻り制御を行い、切り戻り制御に失敗した場合は、ハンドオーバ制御または切り戻り制御を所定時間が経過するまで繰り返して行なうようにしたので、ハンドオーバ制御が失敗しさらに切り戻り制御が失敗しても直ちに通話が切断されることがないので、ハンドオーバ成功率を向上させて切断しにくい通話を提供できる効果が得られる。
【００２７】
この実施の形態１によれば、通信品質が劣化したと判定された場合に、ハンドオーバ試行タイマを起動して、ハンドオーバ制御を行なうと共に、ハンドオーバ制御に失敗した場合は、切り戻り制御を行い、切り戻り制御に失敗した場合は、ハンドオーバ制御または切り戻り制御をハンドオーバ試行タイマが計数した時間が所定時間に達するまで繰り返して行なうようにしたので、通信品質が劣化した場合にハンドオーバ制御が失敗しさらに切り戻り制御が失敗しても直ちに通話が切断されることがないので、ハンドオーバ成功率を向上させて切断しにくい通話を提供できる効果が得られる。
【００２８】
この実施の形態１によれば、ハンドオーバ試行タイマが計数した時間が所定時間に達した後に通話を切断するようにしたので、ハンドオーバ制御が失敗し、さらに切り戻り制御が失敗しても直ちに通話が切断されることがないので、ハンドオーバ成功率を向上させて切断しにくい通話を提供できる効果が得られる。
【００２９】
実施の形態２．
図５はこの発明に係る実施の形態２の移動無線機のハンドオーバ・切り戻り制御部９０の構成を示す図である。図５において、変更手段１３０はテンキー入力部８０から入力された時間データに応じてハンドオーバ試行タイマの満了するまでの時間（所定時間）に相当するハンドオーバ試行タイマのカウント開始時のタイマ値（初期値）を変更する。図２の構成要素と等しい符号が付されたその他の構成要素は、その符号が付された図２の構成要素と等しい。
【００３０】
図６はこの発明に係る実施の形態２の移動無線機の変更手段１３０の構成を示す図である。図６において、待ち受け表示手段１３１は、画面表示部７０に待ち受け画面を表示する。書換え手段１３２は、テンキー入力部８０に入力された時間データをハンドオーバ・切り戻り制御部９０の記憶領域に書き込んで、ハンドオーバ試行タイマの満了するまでの時間（所定時間）に相当するカウント開始時のタイマ値（初期値）を入力された時間データに応じて書換える。
【００３１】
この実施の形態２の移動無線機は、実施の形態１の移動無線機においてハンドオーバ・切り戻り制御部９０に変更手段１３０を追加したものである。したがって、変更手段１３０以外の構成要素は、実施の形態１と等しい。
【００３２】
図７はこの発明に係る実施の形態２の移動無線機の処理を示すフロー図である。
【００３３】
次に動作について説明する。
この実施の形態２は、実施の形態１の移動無線機において、待ち受け状態においてハンドオーバ試行タイマのカウント開始時のタイマ値（初期値）を変更できるようにしたものである。したがって、ハンドオーバ試行タイマのカウント開始時のタイマ値を変更するための処理以外は、実施の形態１の処理と等しい。
【００３４】
ステップＳＴ２０で処理が開始されて移動無線機が待ち受け状態になり、ステップＳＴ２１では待ち受け表示手段１３１が画面表示部７０に待ち受け画面を表示する。
【００３５】
ステップＳＴ２２では、書換え手段１３２がテンキー入力部８０から書換コマンドが入力されたか否かを判定し、書換コマンドが入力された場合にはステップＳＴ２３に進み、書換コマンドが入力されていない場合にはステップＳＴ２１に進む。ここで、テンキー入力部８０からの書換コマンドの入力は、例えばタイマ値を６０秒に設定する場合、Ｆキー、７キー、７キー、６キー、０キー、メモリキーの順に操作することにより行なわれ、ここで「Ｆ７７」がハンドオーバ試行タイマのカウント開始時のタイマ値（初期値）の書換を意味し、それに続く「６０」がカウント開始時タイマ値が書き換えられるべき時間データの値を示す。
【００３６】
ステップＳＴ２３では、書換え手段１３２が書換コマンドが入力されたことを表す書換え開始表示を画面表示部７０に表示する。
【００３７】
ステップＳＴ２４では、書換え手段１３２が入力された時間データ（カウント開始時のタイマ値）をハンドオーバ・切り戻り制御部９０の記憶領域に書き込んでカウント開始時のタイマ値（ハンドオーバ試行タイマが満了するまでの時間に相当する）の書換えを行なう。
【００３８】
ステップＳＴ２５では、書換え手段１３２が、書換えが完了したことを表す書換え完了表示を画面表示部７０に表示する。
【００３９】
ステップＳＴ２６では、待ち受け表示手段１３１が待ち受け画面を画面表示部７０に表示し、ステップＳＴ２７で処理を終了する。
【００４０】
以上のようにこの実施の形態２の移動無線機は、実施の形態１の移動無線機において、テンキー入力部８０をさらに備え、ハンドオーバ・切り戻り制御部９０が、テンキー入力部８０に入力された時間データに応じて所定時間を変更する変更手段１３０を備えたものである。
【００４１】
この実施の形態２の移動無線機は、画像表示部７０をさらに備え、変更手段１３０が、待ち受け画面を画像表示部７０に表示する待ち受け表示手段１３１と、待ち受け画面が表示された後にテンキー入力部８０に入力された時間データに応じて所定時間を変更する書換え手段１３２とを備えたものである。
【００４２】
以上のように、この実施の形態２によれば、ハンドオーバ試行タイマの満了するまでの時間（所定時間）を変更するようにしたので、通信環境の変化に応じて満了するまでの時間を変更して、ハンドオーバ成功率を向上させて通信環境が劣化しやすい場所での通話がいつも切断されことがないようにできる効果が得られる。
【００４３】
この実施の形態２によれば、待ち受け状態でハンドオーバ試行タイマの満了するまでの時間（所定時間）を変更するようにしたので、送信手順および受信手順を妨げずにハンドオーバ試行タイマの満了するまでの時間を変更した後直ちに送信または受信を行なうことができる効果が得られる。
【００４４】
【発明の効果】
以上のように、この発明によれば、通信品質が劣化した場合に、現在通話している基地局から他の基地局へのハンドオーバ制御を行なうと共に、ハンドオーバ制御に失敗した場合は、通話していた基地局への切り戻り制御を行い、切り戻り制御に失敗した場合は、ハンドオーバ制御または切り戻り制御を所定時間が経過する（ハンドオーバ試行タイマが満了する）まで繰り返して行なうようにしたので、ハンドオーバ制御が失敗しさらに切り戻り制御が失敗しても直ちに通話が切断されることがなく、ハンドオーバ成功率を向上させて切断しにくい通話を提供できる効果がある。
【図面の簡単な説明】
【図１】この発明に係る実施の形態１の移動無線機の構成の一例を示す図である。
【図２】この発明に係る実施の形態１の移動無線機のハンドオーバ・切り戻り制御部の構成を示す図である。
【図３】この発明に係る実施の形態１の移動無線機の繰り返し手段の構成を示す図である
【図４】この発明に係る実施の形態１のハンドオーバ制御方法を示すフロー図である。
【図５】この発明に係る実施の形態２の移動無線機のハンドオーバ・切り戻り制御部の構成を示す図である。
【図６】この発明に係る実施の形態２の移動無線機の変更手段の構成を示す図である。
【図７】この発明に係る実施の形態２のハンドオーバ制御方法を示すフロー図である。
【符号の説明】
１０  主制御部、２０  制御プログラム記憶部、３０  データ記憶部、４０  通信情報記憶部、５０  ＴＤＭＡ制御部、６０  送受信部、７０  画面表示部、８０  テンキー入力部、９０  ハンドオーバ・切り戻り制御部、１００  判定手段、１１０  起動手段、１２０  繰り返し手段、１２１  ハンドオーバ試行・判定手段、１２２  切り戻り試行・判定手段、１２３  停止手段、１２４  タイマ判定手段、１２５  通話切断手段、１３０  変更手段、１３１  待ち受け表示手段、１３２  書換え手段。
【図１】
2004172882.tif 000003
【図２】
2004172882.tif 000004
【図３】
2004172882.tif 000005
【図４】
2004172882.tif 000006
【図５】
2004172882.tif 000007
【図６】
2004172882.tif 000008
【図７】
2004172882.tif 000009